(57)【要約】【課題】簡単な構造で作業性よく蹴込み板を取り付けることができるとともに、蹴込み板の交換も容易に行える蹴込み板の取付け構造を提供する。【解決手段】家具の左右側板３間下部に固定部材１を介して蹴込み板Ａを取付ける構造であって、上記固定部材１は蹴込み板Ａの裏面左右側端部に穿たれた有底穴部２に嵌着される埋込み部１１とこの埋込み部１１に突設された刺突部１２とからなり、この刺突部１２を上記左右側板３の木口３１に打入して蹴込み板Ａを取付ける蹴込み板の取付け構造。好ましくは、上記埋込み部１１の外周面に抜け止め用リブ１１１が立設される。【選択図】図４
2007159901.tif 000002
【特許請求の範囲】
【請求項１】
家具の左右側板間下部に固定部材を介して蹴込み板を取付ける構造であって、上記固定部材は蹴込み板の裏面左右側端部に穿たれた有底穴部に嵌着される埋込み部とこの埋込み部に突設された刺突部とからなり、この刺突部を上記左右側板の木口に打入して蹴込み板を取付ける蹴込み板の取付け構造。
【請求項２】
上記埋込み部の外周面に抜け止め用リブが立設された請求項１に記載の蹴込み板の取付け構造。
【請求項３】
上記有底穴部の内周面に抜け止め用リブが立設された請求項１に記載の蹴込み板の取付け構造。
【発明の詳細な説明】
【技術分野】
【０００１】
本発明は、蹴込み板に関する。さらに詳しくは、キッチンユニットや洗面化粧台等の家具本体の下部に設けられる蹴込み板の取付け構造に関する。
【背景技術】
【０００２】
従来から、上記キッチンユニットや洗面化粧台等の前面下部には、左右側板間に亘って横長の蹴込み板を横設し、前に立って炊事作業や洗面を行うときに、つま先が当たらないように、上記蹴込み板を後退させて設け、蹴込み部とすることが行われている。例えば、下記特許文献１には、その第１〜５図に示されているように、家具本体の底板にＬ型金具をビス留めし、該Ｌ型金具にスライド自在に取付けられた雄型キャッチ金具と、蹴込み板の側端部にビス留めされた雌型キャッチ金具とを着脱自在に弾性挟着することによって、蹴込み板が着脱自在とされた蹴込み板の取付け構造が開示されている。
【特許文献１】実公平５−１１７８５号公報（第１〜３頁、第１〜５図）
【発明の開示】
【発明が解決しようとする課題】
【０００３】
しかしながら、上記特許文献１に記載の蹴込み板の取付け構造においては、ビスによる取付け個所が多いため、ビス留め作業に手間がかかり、また、雌型キャッチ金具はＬ型金具に穿たれた凹溝にスライド自在に取付けられるため、構造が複雑であるという問題がある。本発明はこのような問題を解決して、簡単な構造で作業性よく蹴込み板を取り付けることができるとともに、蹴込み板の交換も容易に行える蹴込み板の取付け構造を提供することを、その課題とする。
【課題を解決するための手段】
【０００４】
上記課題を解決するために、本発明においては、つぎのような技術的手段を講じている。すなわち、請求項１に記載の発明によれば、家具の左右側板間下部に固定部材を介して蹴込み板を取付ける構造であって、上記固定部材は蹴込み板の裏面左右側端部に穿たれた有底穴部に嵌着される埋込み部とこの埋込み部に突設された刺突部とからなり、この刺突部を上記左右側板の木口に打入して蹴込み板を取付ける蹴込み板の取付け構造が提供される。上記家具としてはとくに限定されないが、キッチンユニットや洗面化粧台等のユニット家具に好ましく適用される。また、上記固定部材は、その埋込み部が木製とされ、刺突部が金属製とされることが好ましく、この刺突部を埋込み部に植設して一体的に形成される。
【０００５】
請求項２に記載の蹴込み板の取付け構造は、請求項１に記載の発明に加えて、上記埋込み部の外周面に抜け止め用リブが立設される。
【０００６】
請求項３に記載の蹴込み板の取付け構造は、請求項１に記載の発明に加えて、上記有底穴部の内周面に抜け止め用リブが立設される。
【発明の効果】
【０００７】
請求項１に記載の発明にかかる蹴込み板の取付け構造は上記のとおりであり、埋込み部と刺突部とからなる固定部材の埋込み部を蹴込み板の裏面左右側端部に穿たれた有底穴部に嵌着し、上記刺突部を家具の左右側板間下部の木口に打入して蹴込み板を取付けるため、家具の製作工程において裏面あるいは下方からの作業や、ネジ留め等手間のかかる作業を必要とせず、前方からの単なる打入により取り付けることができる。その結果、製作工程の最終段階において蹴込み板を家具へ取付けることが可能となり、作業性を向上させることができる。また、刺突部を単に打入することにより蹴込み板を側板へ取付けているため、着脱自在となり、例えば、蹴込み板が損傷した場合、容易に取り外し、新しいものと交換することができる。
【０００８】
請求項２に記載の蹴込み板の取付け構造は上記のとおりであり、請求項１の蹴込み板の取付け構造の有する効果に加え、上記埋込み部の外周面に抜け止め用リブが立設されているため、固定部材の埋込み部を有底穴部に嵌着したとき、埋込み部の外周面に立設された抜け止め用リブが潰れて上記有底穴部の内周面にしっかりと圧接し、固定部材が抜け落ちることを防ぐ。
【０００９】
請求項３に記載の蹴込み板の取付け構造は上記のとおりであり、請求項１の蹴込み板の取付け構造の有する効果に加え、上記有底穴部の内周面に抜け止め用リブが立設されているため、固定部材の埋込み部を有底穴部に嵌着したとき、有底穴部の内周面に立設された抜け止め用リブが潰れて上記埋込み部の外周面にしっかりと圧接し、固定部材が抜け落ちることを防ぐ。
【発明を実施するための最良の形態】
【００１０】
以下、本発明の実施形態について図面を参照して、詳細に説明する。図１は本発明の蹴込み板の取付け構造にかかる固定部材１を示す斜視図である。図１に示すように、上記固定部材１は、木製の埋込み部１１とこの埋込み部１１の裏面に植設された金属製の刺突部１２とが一体的に形成されてなり、また、埋込み部１１の外周面には抜け止め用リブ１１１が立設されている。
【００１１】
図２は、本発明にかかる蹴込み板Ａの裏面を示す斜視図であり、図１に示された固定部材１が嵌着する有底穴部２が左右側端部に各２個穿たれ、この有底穴部２は上記埋込み部１１の裏面と蹴込み板Ａの裏面とが面一となるように座繰りをされている。上記固定部材１の埋込み部１１を上記有底穴部２に堅く嵌着したとき、上記抜け止め用リブ１１１は押し潰されて上記有底穴部２の内周面にしっかりと圧接し、したがって、図２に示すように、４本の固定部材１を用いた場合は、４本の刺突部１２が蹴込み板Ａに植設された状態となる。図３に示すように、裏面に刺突部１２を備えた蹴込み板Ａをその表面側から、適当な当て木を介して矢印の方向に打入することにより、刺突部１２は側板３の木口３１に刺突し、蹴込み板Ａをしっかりと固着することができる。
【００１２】
図４は、上記蹴込み板Ａを側板３に固着した状態を示す要部断面図である。図４に示されているように、蹴込み板Ａは側板３に固定部材１の刺突部１２が刺突することによりしっかりと固着され、同時に蹴込み部４が形成される。図５は、洗面キャビネットＢに本発明にかかる蹴込み板の取付け構造を適用し、蹴込み板Ａを取付けた状態を示す斜視図である。図５に示されているように、釘頭、ネジ等が正面、側面から一切見えることなく、蹴込み部４が見栄えよく形成されていることが明らかである。
【００１３】
以上述べたように、本発明にかかる蹴込み板の取付け構造を実施すれば、家具等の製作工程の最終段階でネジや専用工具等を用いることなく、単なる打入により簡単に蹴込み板Ａを左右側板間に取付けることが可能となり、作業性を向上させることができる。また、蹴込み板Ａは、刺突部１２を側板３の木口３１に単に打入することにより固着されているため、着脱自在となり、例えば、蹴込み板Ａが損傷した場合、容易に取り外して新しいものと交換することができる。また、上記実施形態は、埋込み部１１の外周面に抜け止め用リブ１１１を立設した場合について述べたが、蹴込み板Ａの裏面に穿たれた有底穴部２の内周面に抜け止め用リブを立設した場合についても同様な作用、効果を発揮することができる。
【図面の簡単な説明】
【００１４】
【図１】本発明の蹴込み板の取付け構造にかかる固定部材を示す斜視図である。
【図２】本発明にかかる蹴込み板の裏面を示す斜視図である。
【図３】本発明にかかる固定部材を用いて蹴込み板を側板に固着する状態を示す説明図である。
【図４】本発明にかかる蹴込み板の取付け構造の要部を示す断面図である。
【図５】本発明にかかる蹴込み板の取付け構造を洗面キャビネットに適用した状態を示す斜視図である。
【符号の説明】
【００１５】
Ａ          本発明にかかる蹴込み板
Ｂ          洗面キャビネット
１          固定部材
１１        埋込み部
１１１      抜け止め用リブ
１２        刺突部
２          有底穴部
３          側板
３１        木口
４          蹴込み部
【図１】
2007159901.tif 000003
【図２】
2007159901.tif 000004
【図３】
2007159901.tif 000005
【図４】
2007159901.tif 000006
【図５】
2007159901.tif 000007